(57)【特許請求の範囲】
【請求項１】
アンテナの後段に接続されたフィルタ回路とこのフィルタ回路の後段にマッチング回路を介して接続された、ＶＨＦのローチャンネル用アンテナ回路と、前記フィルタ回路の後段に接続されたＶＨＦのハイチャンネル用アンテナ回路と、アンテナに順方向ダイオードを介して接続されたＵＨＦ用アンテナ回路と、前記ＶＨＦのローチャンネル用アンテナ回路、前記ＶＨＦのハイチャンネル用アンテナ回路及び前記ＵＨＦ用アンテナ回路の各々が接続されるポートを有するＰＬＬ−ＩＣ回路とを備えたＴＶチューナのアンテナ回路であって、
前記順方向ダイオードのカソード側は、前記ＵＨＦ用アンテナ回路の入力側に接続されるとともに前記ＰＬＬ−ＩＣ回路のＵＨＦ用アンテナ回路が接続されるポートの電圧よりも低いバイアス電圧が常に印加され、前記順方向ダイオードのアノード側は、抵抗を介して前記ＰＬＬ−ＩＣ回路のＵＨＦ用アンテナ回路が接続されるポートに接続されて、
前記ＶＨＦのローチャンネル用アンテナ回路又はＶＨＦのハイチャンネル用アンテナ回路が選択されるときは、前記ＰＬＬ−ＩＣ回路のＵＨＦ用アンテナ回路が接続されるポートから前記バイアス電圧よりも低いローレベル信号が加えられて前記順方向ダイオードを逆バイアス状態とし、前記ＵＨＦ用アンテナ回路が選択されるときは、前記ＰＬＬ−ＩＣ回路のＵＨＦ用アンテナ回路が接続されるポートから前記バイアス電圧よりも高いハイレベル信号が加えられて前記順方向ダイオードを順バイアス状態にすることを特徴するＴＶチューナのアンテナ回路。
【発明の詳細な説明】
【０００１】
【発明の属する技術分野】
本発明は、ＴＶチューナのアンテナ回路に関する。
【０００２】
【従来の技術】
従来のＴＶチューナのアンテナ回路、特にＣＡＴＶ付のヨーロッパバンドのアンテナ回路は、図２に示されるように、３バンド方式が主流であり、アンテナ１からの信号は、ハイパスフィルタ（ＨＰＦ）２に送られ、このハイパスフィルタ２の出力は、コンデンサ３を介してＶＨＦのローチャンネル用アンテナ回路４に接続され、またハイチャンネル用アンテナ回路５に直接接続され、さらに、コンデンサ３，コンデンサ６およびコイル７を介してＵＨＦチャンネル用アンテナ回路８に接続されている。
【０００３】
また、他の例は、図３に示されるように、アンテナ１からの信号をハイパスフィルタ２に送った後、このハイパスフィルタ２の出力がスイッチング回路１１を介してＶＨＦのローチャンネル用アンテナ回路４に接続され、またハイチャンネル用アンテナ回路５にもスイッチング回路１２を介して接続され、さらに、ＵＨＦチャンネル用アンテナ回路８にはアンテナ１の信号がハイパスフィルタ２を経ることなく直接接続されている。
【０００４】
【発明が解決しようとする課題】
しかし、このような構成の従来のＴＶチューナのアンテナ回路では、それぞれ問題を含んでいた。すなわち、図２に示されるアンテナ回路の場合には、ＶＨＦ用アンテナ回路とＵＨＦ用アンテナ回路の入力側がコンデンサあるいはコンデンサとコイルを介して接続されているため、これらのアンテナ回路の間で干渉が生じやすいという問題を有している。また、図３に示されるアンテナ回路の場合には、ＶＨＦ用アンテナ回路４，５のそれぞれの入力側にスイッチング回路１１，１２を使用しており、それぞれのスイッチング回路１１，１２は、複数の部品によって構成されるため、部品点数が多く、コスト低減のネックとなっている。
【０００５】
【課題を解決するための手段】
このような問題を解決するために、アンテナの後段に接続されたフィルタ回路とこのフィルタ回路の後段にマッチング回路を介して接続された、ＶＨＦのローチャンネル用アンテナ回路と、前記フィルタ回路の後段に接続されたＶＨＦのハイチャンネル用アンテナ回路と、アンテナに順方向ダイオードを介して接続されたＵＨＦ用アンテナ回路と、前記ＶＨＦのローチャンネル用アンテナ回路、前記ＶＨＦのハイチャンネル用アンテナ回路及び前記ＵＨＦ用アンテナ回路の各々が接続されるポートを有するＰＬＬ−ＩＣ回路とを備えたＴＶチューナのアンテナ回路であって、前記順方向ダイオードのカソード側は、前記ＵＨＦ用アンテナ回路の入力側に接続されるとともに前記ＰＬＬ−ＩＣ回路のＵＨＦ用アンテナ回路が接続されるポートの電圧よりも低いバイアス電圧が常に印加され、前記順方向ダイオードのアノード側は、抵抗を介して前記ＰＬＬ−ＩＣ回路のＵＨＦ用アンテナ回路が接続されるポートに接続されて、前記ＶＨＦのローチャンネル用アンテナ回路又はＶＨＦのハイチャンネル用アンテナ回路が選択されるときは、前記ＰＬＬ−ＩＣ回路のＵＨＦ用アンテナ回路が接続されるポートから前記バイアス電圧よりも低いローレベル信号が加えられて前記順方向ダイオードを逆バイアス状態とし、前記ＵＨＦ用アンテナ回路が選択されるときは、前記ＰＬＬ−ＩＣ回路のＵＨＦ用アンテナ回路が接続されるポートから前記バイアス電圧よりも高いハイレベル信号が加えられて前記順方向ダイオードを順バイアス状態にすることを特徴するＴＶチューナのアンテナ回路が提供される。
【０００６】
このように構成すれば、ＶＨＦとＵＨＦの干渉が少なくしかも部品点数の少ないＴＶチューナのアンテナ回路を得ることができる。
【０００７】
【発明の実施の形態】
図１は、この発明によるＴＶチューナのアンテナ回路の一実施の形態を示しており、同図において、図２および図３に示したものと同じものは同符号を用いて示している。図１において、アンテナ１の後段には、ハイパスフィルタ２が接続され、さらに、このハイパスフィルタ２の出力側には、コンデンサ２１とコイル２２からなるマッチング回路２３を介してＶＨＦのローチャンネル用アンテナ回路４が接続されるとともにＶＨＦのハイチャンネル用アンテナ回路５が直接接続されている。また、アンテナ１の後段には、アンテナ１の方向にアノードを接続した順方向ダイオード２４を介してＵＨＦ用アンテナ回路８が接続されている。
【０００８】
また、各アンテナ回路４，５，８には、ＰＬＬ−ＩＣ回路１１が接続されており、ＶＨＦのローチャンネル用アンテナ回路４の出力側はＰＬＬ−ＩＣ回路１１のＶＬｃｈポートと接続され、ＶＨＦのハイチャンネル用アンテナ回路５の出力側はＰＬＬ−ＩＣ回路１１のＶＨｃｈポートと接続されている。さらに、ＵＨＦ用アンテナ回路８の出力側はＰＬＬ−ＩＣ回路１１のＵｃｈポートと接続されている。
【０００９】
また、順方向ダイオード２４のアノード側は、抵抗２５を介してＵＨＦ用アンテナ回路８の出力側とともにＰＬＬ−ＩＣ回路１１のＵｃｈポートに接続されている。また、順方向ダイオード２４のカソードは、ＰＬＬ−ＩＣ回路１１とは異なる後段のミクサ（図示せず）のバイアス電圧（＋Ｂ：この電圧はＰＬＬ−ＩＣ回路１１のＵｃｈポートの電圧より低い）が抵抗２６を介して常に印加されている。
【００１０】
そして、ＶＨＦのアンテナ回路４または５が選択されるときには、ＰＬＬ−ＩＣ回路１１のＵｃｈポートからミクサ（図示せず）の電圧（＋Ｂ）よりも低いローレベル（ＯＦＦ）信号が加えられて順方向ダイオード２４を逆バイアス状態とし、ＵＨＦアンテナ回路８が選択される場合には、ハイレベル（ＯＮ）信号が加えられて順方向ダイオード２４を順バイアス状態にする。
【００１１】
このように構成すれば、ＵＨＦ用アンテナ回路８がＶＨＦ用のアンテナ回路４，５から切り離され、しかも回り込みを防ぐために、順方向ダイオード２４を両者の間に配置したため、図２の従来のアンテナ回路に比較してＶＨＦとＵＨＦの干渉が少なくできる。したがって、従来よりもＶＳＷＲ特性およびイメージ特性を改善できる。また、このような構成にすれば、スイッチング回路２３を一つ用いるだけでよいため、図３の従来のアンテナ回路に比較してスイッチング回路が一つでよく、部品点数の少ないＴＶチューナのアンテナ回路を得ることができる。
【００１２】
上述した実施の形態では、アンテナの後段にハイパスフィルタを配置したけれどもＩＦフィルタでもよいことはもちろんである。
【００１３】
【発明の効果】
以上述べたように、この発明によるＴＶチューナのアンテナ回路を用いれば、ＶＨＦとＵＨＦの干渉が少なくしかも部品点数の少ないＴＶチューナのアンテナ回路を得ることができる。
【図面の簡単な説明】
【図１】本発明によるＴＶチューナのアンテナ回路の一実施の形態を示す基本構成図である。
【図２】従来のＴＶチューナのアンテナ回路の一例を示す基本構成図である。
【図３】従来のＴＶチューナのアンテナ回路の他の例を示す基本構成図である。
【符号の説明】
１  アンテナ
２  ハイパスフィルタ
３，６，２１  コンデンサ
４  ＶＨＦローチャンネル用アンテナ回路
５  ＶＨＦハイチャンネル用アンテナ回路
７，２２  コイル
８  ＵＨＦコイル用アンテナ回路
１１  ＰＬＬ−ＩＣ回路
２３  マッチング回路
２４  順方向ダイオード
２５，２６  抵抗
【図１】
0003633079.tif 000002
【図２】
0003633079.tif 000003
【図３】
0003633079.tif 000004